(57)【要約】【課題】海釣りでの遠投をするとき、仕掛けのとびだしを自動で行うトップガイドを提供する。【解決手段】基盤(１)の前部中間にとびだし盤(２)を回転可能・上下移動可能に支点軸(４)で連結し、静止具(９)のついた釣り糸(１０)を基盤(１)後部の釣り糸ガイド穴(１６)から通し静止具(９)をとびだし盤も後部に収め、とびだし盤(２)の上から先端部で横になるように溝を設け、中を釣り糸(１０)を通して先端部から仕掛け(１３)をたらし、釣り竿を大きくふり、静止具(９)はとびだし盤(２)の後部にあたり、仕掛け(１３)が遠心力でとびだし盤(２)を回転させ、後部から静止具(９)が解放され仕掛けがとびだす構成にした。【選択図】  図１６
2015156850.tif 000002
【特許請求の範囲】
【請求項１】
基盤（１）の前部にとびだし盤（２）回転可能に連結する連結手段（４）で連結し、遠投物の遠心力で前記とびだし盤を回転させ、遠投物のとびだしを止めている静止装置（９）が解放され遠投物がとびだす自動とびだしストップガイド。
【請求項２】
前記基盤（１）の前部の中にとびだし盤（２）を回転可能な支点軸（４）で連結した請求項１記載の自動とびだし付きトップガイド。
【請求項３】
前記とびだし盤の中に釣り糸（１０）を通す溝を先端に向かって上部から横になるように設け、前記基盤の後部に釣り糸ガイド穴（１６）と前記釣り糸に取り付けた静止装置の止め玉（９）の静止場所をとびだし盤（２）との間に設けた請求項２記載の自動とびだし付ストップガイド。
【請求項４】
前記止め玉のとびだす瞬間以外前記とびだし盤を静止させる静止装置（７．１２）を設けた請求項２記載の自動とびだし付トップガイド。
【請求項５】
前記とびだし盤の静止装置に弾性体（７）と、とびだし盤止めネジ（１２）を設けた請求項２記載の自動とびだし付トップガイド。
【請求項６】
オモリ・仕掛け（１３）のとびだしを調節するため、支点軸（４）を上下移動可能なとびだし調節装置（３）を設けた請求項１記載の自動とびだし付トップガイド。
【請求項７】
前記基盤に竿先固定穴（１７）を設け、竿先止めネジ（８）で前記基盤と竿（１１）を連結する請求項１記載の自動とびだし付トップガイド。
【請求項８】
前記基盤に竿先固定穴（１７）を設け、竿先止めネジ（８）で前記基盤と竿（１１）を連結する請求項１記載の自動とびだし付トップガイド。
【発明の詳細な説明】
【技術分野】
【０００１】本発明は海釣りの遠投をするときのオモリ・仕掛けのとびだしをトップガイドで自動にする自動とびだし付きトップガイドに関するものである。
【背景技術】
【０００２】近年海釣りでの遠投は自動とびだし機が無くオモリ・仕掛けのとびだしを釣り糸を指で止め開放する際のタイミングを自ら考えて行っていた。
【先行技術文献】
【特許文献】
【特許文献１】特開２０１３−５９３０１号公報
【特許文献２】特開２００６−１１８６４号公報
【発明の概要】
【発明が解決しようとする課題】
【０００３】これには次のような欠点があった
以上に述べた従来の遠投は、釣り糸を指で止め釣竿を大きくふりオモリ・仕掛けの遠心力で釣竿を大きく曲げ元に戻ろうとする力を利用してタイミングを計り指から釣り糸を開放してオモリ・仕掛けを海に向かってとばしていた。
このような動作を釣り糸を振るってから１，２秒の間に行うのだがこれが難しく、タイミングが早いとフライになったり，遅いと海に突き刺さったり、悪くすると釣り糸を切ってしまう
上級者にはよいが子ども，女性，初心者には難しい事であった。【０００４】本発明はこの様な従来の問題点を解決しようとするものであり海釣りの遠投でのオモリ・仕掛けのとびだしを自動化し遠投が簡単に正確に出来ることを目的とする。
【課題を解決するための手段】
【０００５】本発明の第一の課題の解決手段は、基盤の前部の中間にとびだし盤を回転可能又上下移動可能に連結するために回転可能な支点軸を設け、上下移動可能にするために基盤の支点軸が入る貫通穴をたて長に設け、とびだし盤と支点軸と調整ネジで基盤に取り付け基盤の後部に釣り糸ガイド穴竿先固定穴横部に竿先止めネジを設け、とびだし盤との間に止め玉の静止場所を設け、又、オモリ・仕掛けのとびだす瞬間以外、とびだし盤がとびだす前の状態で静止させるためとびだし盤と基盤を引っ張りコイルバネで連結し基盤にとびだし盤止めネジを設けたものである。
【発明の効果】
【０００６】オモリの遠心力の連動でとびだし盤に伝わり静止装置を作動させるのでとびだしの調整が正確である。【０００７】オモリの遠心力がとびだし盤を回転させ静止装置が開放した時とびだし盤の回転が速くなりボールを投げるときの手首を返すのと同じで遠投によい。【０００８】とびだしの調節ができるのでオモリの重さをかえたり竿をかえたり投げ釣りのタックルの変化に対応できる。【０００９】遠投のとき釣り糸を止めている指からオモリまでオモリの負荷に負けない様に従来１０ｍ位釣り糸を太くし力糸として使用していた。このため飛距離が伸びない
本考案では力糸は１，５ｍ位でよく，飛距離が伸びる
又、力糸の伸びが少ないので釣竿に大きい負荷がかかり飛距離が伸びる。【００１０】竿先から垂らすオモリ・仕掛けの長さが釣り糸に取り付けた止め玉で決まってしまうので釣り糸をまいてきて基盤の止め玉の静止場所におさめればよい。【００１１】連投するときのリールの向きが仕掛けの垂らしと同じ下向きで良いのでリールが安定して投げやすい。
【図面の簡単な説明】
【００１２】
【図１】この発明の斜視図である
【図２】    同    横面図である
【図３】    同    下面図である
【図４】    同    上面図である
【図５】    同    前面図である
【図６】    同    後面図である
【図７】    同    基盤の上面図である
【図８】    同    基盤の前面斜視図である
【図９】    同    断面図である
【図１０】    同    後面斜視図である
【図１１】    同    とびだし盤の斜視図である
【図１２】    同    とびだし盤の断面図である
【図１３】    同    とびだし盤の後面図である
【図１４】    同    とびだし盤の前面図である
【図１５】    同    とびだし盤の支点軸の断面図である
【図１６】    同    竿先の連結しオモリと釣り糸が付いた斜視図である
【図１７】    同    竿先に連結しオモリのとびだし前の断面図である
【図１８】    同    竿先に連結しオモリのとびだし直前の断面図である
【図１９】    同    Ａ‐Ａ面断面指示図である
【図２０】    同    Ａ‐Ａ面断面図である
【発明を実施するための形態】
【００１３】以下、本発明を実施するための形態について説明する
図７〜図１０において基盤（１）の後面上部に竿先固定穴（１７）と下部に釣り糸ガイド穴（１６）と横面上部に竿先固定ネジ穴（１８）を設ける
釣り糸ガイド穴（１６）の内側に止め玉（９）の静止場所の空間：静止場所の下部前部にとびだし盤止めネジ（１２）を設ける
基盤（１）の前の中間とびだし盤（２）を回転可能に上下移動可能にするための支点軸穴をタテ長に設け支点軸（１４）を基盤（１）に連結する調節ネジ（３）を通す貫通穴を支点軸（４）の入る貫通穴も上下左右４ケに設けた基盤である
【００１４】図１１〜図１４においてとびだし盤（２）に支点軸穴（１４）を後方の上部に設け、釣り糸（１０）がとびだし盤（２）の先端を引っ掛けて回転させるために釣り糸（１０）を通す構を底が支点軸穴（１４）の下で山形の頂点になるように上部から先端で横に設けて先端口をラッパのようにした，とびだし盤。
【００１５】前項記載の基盤（１）ととびだし盤（２）を支点軸（１４）で回転可能、上下移動に連結し仕掛け（１３）を遠投を実施する形態について図１５〜図２０において支点軸（１４）の支点軸ネジ穴（２０）から先が長い方をとびだし盤（２）に入れて短いほうの基盤側にして基盤（１）の前部の中に調整ネジ（３）で調整ネジ通し貫通穴。
（１５）に通し支点軸ネジ穴（２０）を通し調節ネジ通し貫通穴を通して六角ナット２つを当て締めして基盤（１）にとびだし盤を設けた
本発明の自動とびだし付きトップガイド。
【００１６】図１１〜図１８において本発明に竿先（１１）を入れ竿先止めネジ（８）で固定し、オモリ・仕掛け（１３）止め玉（９）がついた釣り糸（１３）を取り付けるがオモリから止め玉（９）まで遠投の負荷に負けないように太い釣り糸（１３）を力糸として使用する又とびだし盤（２）の溝の外面を円形にへこませ釣り糸（１０）と、止め玉（９）が溝に収まりやすくし止め玉（９）がオモリ（仕掛け）の遠心力でとびだし盤（２）の後部に圧力をかけ回転させてとびだすので回転しやすくするためとびだし盤（２）の後面を支転軸（４）を中心に丸めにし，半径をとびだし寸前より前にいくに従って長くし、とびだし盤（２）を回転しやすくする。
【００１７】図１６〜図２０においてオモリ・仕掛け（１３）の遠心力でとびだし盤（２）を回転させ、止め玉（９）がとびだし盤（２）の後部からはずれオモリ・仕掛け（１３）が海に向かってとびだす。
とびだしの調節を調整ネジ（３）を回して支点軸（４）でとびだし盤（２）を上下させ、止め玉（９）のとびだし盤との静止面を深くしてとびだしを遅くしたり、浅くてとびだしを早くしたりするのも、又、とびだしてから釣り糸（１０）は基盤（１）の釣り糸ガイド穴から出て行き、とびだし盤（２）は引っ張りコイルバネ（７）と、とびだし盤止めネジ（１２）でとびだし前の状態に戻るもの。
【符号の説明】
【００１８】  １  基盤
２  とびだし盤
３  調整ネジ
４  支点軸
５  六角キット
６  止めネジ
７  引っ張りコイルバネ
８  竿先止めネジ
９  止め玉
１０  釣り糸
１１  竿先
１２  とびだし盤止めネジ
１３  オモリ・仕掛け
１４  支点軸穴
１５  調整ネジ通し貫通穴
１６  釣り糸ガイド穴
１７  竿先固定穴
１８  竿先固定ネジ穴
１９  引っ張りコイルバネ固定ネジ穴
２０  支点軸ネジ穴
【図１】
2015156850.tif 000003
【図２】
2015156850.tif 000004
【図３】
2015156850.tif 000005
【図４】
2015156850.tif 000006
【図５】
2015156850.tif 000007
【図６】
2015156850.tif 000008
【図７】
2015156850.tif 000009
【図８】
2015156850.tif 000010
【図９】
2015156850.tif 000011
【図１０】
2015156850.tif 000012
【図１１】
2015156850.tif 000013
【図１２】
2015156850.tif 000014
【図１３】
2015156850.tif 000015
【図１４】
2015156850.tif 000016
【図１５】
2015156850.tif 000017
【図１６】
2015156850.tif 000018
【図１７】
2015156850.tif 000019
【図１８】
2015156850.tif 000020
【図１９】
2015156850.tif 000021
【図２０】
2015156850.tif 000022
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
先端側に仕掛けが配置された釣り糸の途中に取り付けられた静止具を収納する収納部を支点軸よりも後方に有し、釣り竿の先端部に固定される基盤と、
前記基盤に対して前記支点軸を中心に回動可能に設けられ、該支点軸と交差する前後方向に延び前記釣り糸を前方が該釣り糸の先端側となるように通す通路を有するとびだし盤とを備え、
前記とび出し盤は、前記基盤に対して折れ曲がった静止姿勢から、遠心力によって前記支点軸を中心に回動することで開放姿勢に変化するものであり、
前記通路は、前記静止姿勢では前記収納部と分断されており該収納部に収納された前記静止具が入り込むことがなく、前記開放姿勢では該収納部に連通し遠心力によって該収納部から抜け出て前方に飛び出す該静止具が通過するものであることを特徴とする自動とびだし付きトップガイド。
【請求項２】
前記支点軸は、前記前後方向に対する上下方向に位置変更なものであることを特徴とする請求項１記載の自動とびだし付きトップガイド。
【手続補正２】
【補正対象書類名】明細書
【補正対象項目名】全文
【補正方法】変更
【補正の内容】
【発明の詳細な説明】
【技術分野】
【０００１】
本発明は海釣りの遠投をするときの仕掛けのとびだしをトップガイドで自動にする自動とびだし付きトップガイドに関するものである。
【背景技術】
【０００２】
近年海釣りでの遠投は自動とびだし機が無く仕掛けのとびだしを釣り糸を指で止め開放する際のタイミングを自ら考えて行っていた。
【先行技術文献】
【特許文献】
【０００３】
【特許文献１】特開２０１３−５９３０１号公報
【特許文献２】特開２００６−１１８６４号公報
【発明の概要】
【発明が解決しようとする課題】
【０００４】
これには次のような欠点があった
以上に述べた従来の遠投は、釣り糸を指で止め釣竿を大きくふり仕掛けの遠心力で釣竿を大きく曲げ元に戻ろうとする力を利用してタイミングを計り指から釣り糸を開放して仕掛けを海に向かってとばしていた。
このような動作を釣り糸を振るってから１,２秒の間に行うのだがこれが難しく、
タイミングが早いとフライになったり,遅いと海に突き刺さったり、悪くすると釣り糸を切ってしまう
上級者にはよいが子ども,女性,初心者には難しい事であった。
【０００５】
本発明はこの様な従来の問題点を解決しようとするものであり海釣りの遠投での仕掛けのとびだしを自動化し遠投が簡単に正確に出来ることを目的とする。
【課題を解決するための手段】
【０００６】
本発明の第一の課題の解決手段は、基盤の前部の中間にとびだし盤を回転可能又上下移動可能に連結するために回転可能な支点軸を設け、上下移動可能にするために基盤の支点軸が入る貫通穴をたて長に設け、とびだし盤と支点軸と調整ネジで基盤に取り付け基盤の後部に釣り糸ガイド穴竿先固定穴横部に竿先止めネジを設け、とびだし盤との間に静止具の静止場所を設け、又、仕掛けのとびだす瞬間以外、とびだし盤がとびだす前の状態で静止させるためとびだし盤と基盤を引っ張りコイルバネで連結し基盤にとびだし盤止めネジを設けたものである。
【発明の効果】
【０００７】
オモリの遠心力の連動でとびだし盤に伝わり静止具を作動させるのでとびだしの調整が正確である。
オモリの遠心力がとびだし盤を回転させ静止具が開放した時とびだし盤の回転が速くなりボールを投げるときの手首を返すのと同じで遠投によい。
【０００８】
とびだしの調節ができるのでオモリの重さをかえたり竿をかえたり投げ釣りのタックルの変化に対応できる。
【０００９】
遠投のとき釣り糸を止めている指からオモリまでオモリの負荷に負けない様に従来
１０ｍ位釣り糸を太くし力糸として使用していた。このため飛距離が伸びない
本考案では力糸は１,５ｍ位でよく,飛距離が伸びる
又、力糸の伸びが少ないので釣竿に大きい負荷がかかり飛距離が伸びる。
【００１０】
竿先から垂らす仕掛けの長さが釣り糸に取り付けた静止具で決まってしまうので釣り糸をまいてきて基盤の静止具の静止場所におさめればよい。
【００１１】
連投するときのリールの向きが仕掛けの垂らしと同じ下向きで良いのでリールが安定して投げやすい。
【図面の簡単な説明】
【００１２】
【図１】この発明の斜視図である
【図２】同    横面図である
【図３】同    下面図である
【図４】同    上面図である
【図５】同    前面図である
【図６】同    後面図である
【図７】同    基盤の上面図である
【図８】同    基盤の前面斜視図である
【図９】同    断面図である
【図１０】同    後面斜視図である
【図１１】同    とびだし盤の斜視図である
【図１２】同    とびだし盤の断面図である
【図１３】同    とびだし盤の後面図である
【図１４】同    とびだし盤の前面図である
【図１５】同    とびだし盤の支点軸の断面図である
【図１６】同    竿先の連結し静止具と釣り糸が付いた斜視図である
【図１７】同    竿先に連結し静止具のとびだし前の断面図である
【図１８】同    竿先に連結し静止具のとびだし直前の断面図である
【図１９】同    Ａ-Ａ面断面指示図である
【図２０】同    Ａ-Ａ面断面図である
【発明を実施するための形態】
【００１３】
以下、本発明を実施するための形態について説明する
図７〜図１０において基盤(１)の後面上部に竿先固定穴(１７)と下部に釣り糸
ガイド穴(１６)と横面上部に竿先固定ネジ穴(１８)を設ける
釣り糸ガイド穴(１６)の内側に静止具(９)の静止場所の空間：静止場所の下部前部にとびだし盤止めネジ(１２)を設ける
基盤(１)の前の中間とびだし盤(２)を回転可能に上下移動可能にするための支点軸穴をタテ長に設け支点軸(１４)を基盤(１)に連結する調節ネジ(３)を通す貫通穴を支点軸(４)の入る貫通穴も上下左右4ケに設けた基盤である
【００１４】
図１１〜図１４においてとびだし盤(２)に支点軸穴(１４)を後方の上部に設け、
釣り糸(１０)がとびだし盤(２)の先端部を引っ掛けて回転させるために釣り糸
(１０)を通す構を底が支点軸穴(１４)の下で山形の頂点になるように上部から先端部で横に設けて先端口をラッパのようにした,とびだし盤。
【００１５】
前項記載の基盤(１)ととびだし盤(２)を支点軸(１４)で回転可能、上下移動に連結し仕掛け（１３）を遠投を実施する形態について図１５〜図２０において支点軸(１４)の支点軸ネジ穴(２０)から先が長い方をとびだし盤(２)に入れて短いほうの基盤側にして基盤(１)の前部の中に調整ネジ(３)で調整ネジ通し貫通穴。
(１５)に通し支点軸ネジ穴(２０)を通し調節ネジ通し貫通穴を通して六角ナット２つを当て締めして基盤(１)にとびだし盤を設けた
本発明の自動とびだし付きトップガイド。
【００１６】
図１１〜図１８において本発明に竿先(１１)を入れ竿先止めネジ(８)で固定し、
仕掛け(１３) 静止具(９)がついた釣り糸(１３)を取り付けるがオモリから静止具(９)まで遠投の負荷に負けないように太い釣り糸(１３)を力糸として使用する又とびだし盤(２)の溝の外面を円形にへこませ釣り糸(１０)と、静止具(９)が溝に収まりやすくし静止具(９)が仕掛けの遠心力でとびだし盤(２)の後部に圧力をかけ回転させてとびだすので回転しやすくするためとびだし盤(２)の後面を支点軸(４)を中心に丸めにし,半径をとびだし寸前より前にいくに従って長くし、
とびだし盤(２)を回転しやすくする。
【００１７】
図１６〜図２０において仕掛け(１３)の遠心力でとびだし盤(２)を回転させ、静止具(９)がとびだし盤(２)の後部からはずれ仕掛け(１３)が海に向かってとびだす。  
とびだしの調節を調整ネジ(３)を回して支点軸(４)でとびだし盤(２)を上下させ、静止具(９)のとびだし盤との静止面を深くしてとびだしを遅くしたり、浅くてとびだしを早くしたりするのも、又、とびだしてから釣り糸(１０)は基盤(１)の釣り糸ガイド穴から出て行き、とびだし盤(２)は引っ張りコイルバネ(７)と、とびだし盤止めネジ(１２)でとびだし前の状態に戻るもの。
【符号の説明】
【００１８】
１  基盤
２  とびだし盤
３  調整ネジ
４  支点軸
５  六角キット
６  止めネジ
７  引っ張りコイルバネ
８  竿先止めネジ
９  静止具
１０  釣り糸
１１  竿先
１２  とびだし盤止めネジ
１３  仕掛け
１４  支点軸穴
１５  調整ネジ通し貫通穴
１６  釣り糸ガイド穴
１７  竿先固定穴
１８  竿先固定ネジ穴
１９  引っ張りコイルバネ固定ネジ穴
２０  支点軸ネジ穴